(57)【要約】【課題】管理装置にサーバ・クライアントを用いた設備管理システムにおいて、管理者が設備の管理を適切に行なうことができるようにする。【解決手段】サーバ２２は、ブラウザ３６のログイン時に、クライアント２４に対して管理番号を生成する管理番号生成手段３８と、この手段３８により管理番号を生成されたクライアント２４のブラウザ３６が正常に動作しているか否かを判断するブラウザ動作判断手段４０と、この手段４０によりブラウザ３６が正常に動作していないと判断された場合、そのブラウザ３６を再起動させるブラウザ再起動手段４２とを有する。これにより、ブラウザ３６が正常に動作しなくなった場合であっても、自動的にブラウザ３６の動作を正常な状態に戻すことができるので、管理者は設備１２の管理を適切に行なうことができる。【選択図】図１
2011008369.tif 000002
【特許請求の範囲】
【請求項１】
建物の設備に対して管理番号を設定し、この管理番号に基づいて設備を管理する管理装置であるサーバとクライアントを有し、
クライアント上で動作するブラウザとサーバとの間の情報の授受により建物内の設備を管理する設備管理システムにおいて、
サーバは、
ブラウザのログイン時に、クライアントに対して管理番号を生成する管理番号生成手段と、
管理番号生成手段により管理番号が生成されたクライアントのブラウザが正常に動作しているか否かを判断するブラウザ動作判断手段と、
ブラウザ動作判断手段によりブラウザが正常に動作していないと判断された場合、そのブラウザを再起動させるブラウザ再起動手段と、
を有する、
ことを特徴とする設備管理システム。
【請求項２】
請求項１に記載の設備管理システムにおいて、
サーバは、建物の管理体制に基づいて、ブラウザのログアウト時に、クライアントの管理番号を削除する管理番号削除手段を有する、
ことを特徴とする設備管理システム。
【請求項３】
請求項２に記載の設備管理システムにおいて、
建物の管理体制が、管理者が建物に常駐しない非常駐管理体制である場合、管理番号削除手段は、ブラウザのログアウト時に、クライアントの管理番号を削除する、
ことを特徴とする設備管理システム。
【請求項４】
請求項２または３に記載の設備管理システムにおいて、
建物の管理体制が、管理者が建物に常駐する常駐管理体制である場合、管理番号削除手段は、ブラウザのログアウト時に、クライアントの管理番号を削除しない、
ことを特徴とする設備管理システム。
【請求項５】
請求項１から４のいずれか１つに記載の設備管理システムにおいて、
サーバは、ブラウザ動作判断手段によりブラウザが正常に動作していないと判断された場合、ブラウザが異常である旨を管理者に報知する報知手段を有する、
ことを特徴とする設備管理システム。
【請求項６】
建物の設備に対して管理番号を設定し、この管理番号に基づいて設備を管理する管理装置であるサーバとクライアントを有し、
クライアント上で動作するブラウザとサーバの間の情報の授受により建物内の設備を管理する設備管理方法において、
ブラウザのログイン時に、クライアントに対して管理番号を生成する管理番号生成ステップと、
管理番号生成ステップにより管理番号を生成されたクライアントのブラウザが正常に動作しているか否かを判断するブラウザ動作判断ステップと、
ブラウザ動作判断ステップによりブラウザが正常に動作していないと判断された場合、そのブラウザを再起動させるブラウザ再起動ステップと、
を有することを特徴とする設備管理方法。
【発明の詳細な説明】
【技術分野】
【０００１】
本発明は、サーバとクライアントを用いて、建物内の設備を管理する設備管理システムに関する。
【背景技術】
【０００２】
建物に設置された空調設備および電気設備などの設備を一元管理する設備管理システムが知られている。このシステムに用いられる管理装置においては、近年、調達コストを削減するため、汎用パソコンからサーバ・クライアントへのオープン化の動きが進行している。このようなオープン化された管理装置においては、クライアント上で動作するブラウザとサーバの間の情報の授受により、建物の設備を管理することができる。
【０００３】
クライアント上で動作するブラウザは、一般的に、連続動作を保証されているソフトウェアではない。このため、ブラウザが不安定になり正常に動作しなくなる現象が度々発生してしまう。
【０００４】
下記引用文献１には、ＷＷＷ（World Wide Web）サーバ上で動作するアプリケーションにより、クライアント上で動作するＷＷＷブラウザの生死を常時監視するＷＷＷブラウザ監視方法が記載されている。このＷＷＷブラウザ監視方法においては、アプリケーションがＷＷＷブラウザとＷＷＷサーバの間で行われる定期的な所定のデータのやりとりを確認することで、ＷＷＷブラウザが動作または終了のいずれかの状態であるかを監視することができる。
【先行技術文献】
【特許文献】
【０００５】
【特許文献１】特開２００２−１０８６５８号公報
【発明の概要】
【発明が解決しようとする課題】
【０００６】
上述のように、設備管理システムの管理装置にサーバ・クライアントを用いると、クライアントのブラウザが正常に動作しなくなる現象が発生する。この現象が発生した場合、建物を管理する管理者がブラウザの再起動を行うことにより、問題を解決する、すなわちブラウザの動作を正常にすることができる。しかしながら、管理者は、ブラウザの動作が正常であるか否かを常に確認していないので、上記現象の発生に気が付かない場合がある。この場合、設備管理システムは、例えば設備の異常発生時にその設備からサーバへ情報が伝達されたとしても、その情報を、ブラウザを介して管理者に報知することができない。その結果、設備の異常に対する管理者の対応が遅れてしまうことになり、管理者が設備の管理を適切に行なうことができないという問題がある。上記特許文献１には、ＷＷＷブラウザの生死を監視する監視方法が記載されている。しかしながら、この監視方法によりＷＷＷブラウザが正常に動作していないことが確認されたとしても、この確認の情報をどのように利用するかについては開示されていない。
【０００７】
本発明の目的は、管理装置にサーバ・クライアントを用いたとしても、管理者が設備の管理を適切に行なうことができる設備管理システムを提供することにある。
【課題を解決するための手段】
【０００８】
本発明は、建物の設備に対して管理番号を設定し、この管理番号に基づいて設備を管理する管理装置であるサーバとクライアントを有し、クライアント上で動作するブラウザとサーバとの間の情報の授受により建物内の設備を管理する設備管理システムにおいて、サーバは、ブラウザのログイン時に、クライアントに対して管理番号を生成する管理番号生成手段と、管理番号生成手段により管理番号が生成されたクライアントのブラウザが正常に動作しているか否かを判断するブラウザ動作判断手段と、ブラウザ動作判断手段によりブラウザが正常に動作していないと判断された場合、そのブラウザを再起動させるブラウザ再起動手段と、を有する、ことを特徴とする。
【０００９】
また、サーバは、建物の管理体制に基づいて、ブラウザのログアウト時に、クライアントの管理番号を削除する管理番号削除手段を有することができる。
【００１０】
また、建物の管理体制が、管理者が建物に常駐しない非常駐管理体制である場合、管理番号削除手段は、ブラウザのログアウト時に、クライアントの管理番号を削除することができる。
【００１１】
また、建物の管理体制が、管理者が建物に常駐する常駐管理体制である場合、管理番号削除手段は、ブラウザのログアウト時に、クライアントの管理番号を削除しないことができる。
【００１２】
また、サーバは、ブラウザ動作判断手段によりブラウザが正常に動作していないと判断された場合、ブラウザが異常である旨を管理者に報知する報知手段を有することができる。
【００１３】
また、別の発明は、建物の設備に対して管理番号を設定し、この管理番号に基づいて設備を管理する管理装置であるサーバとクライアントを有し、クライアント上で動作するブラウザとサーバの間の情報の授受により建物内の設備を管理する設備管理方法において、ブラウザのログイン時に、クライアントに対して管理番号を生成する管理番号生成ステップと、管理番号生成ステップにより管理番号を生成されたクライアントのブラウザが正常に動作しているか否かを判断するブラウザ動作判断ステップと、ブラウザ動作判断ステップによりブラウザが正常に動作していないと判断された場合、そのブラウザを再起動させるブラウザ再起動ステップと、を有することを特徴とする。
【発明の効果】
【００１４】
本発明の設備管理システムによれば、管理装置として用いられるクライアントのブラウザが正常に動作しなくなった場合であっても、自動的にブラウザを再起動させて、ブラウザの動作を正常な状態に戻すことができる。よって、ブラウザの異常により設備の最新の情報を入手できないという状態が防止されるので、管理者が設備の管理を適切に行なうことができるようになる。
【図面の簡単な説明】
【００１５】
【図１】本実施形態の設備管理システムの構成を示す図である。
【図２】設備管理システムの制御動作の一例を示すフローチャートである。
【発明を実施するための形態】
【００１６】
以下、本発明に係る設備管理システムの実施形態について、図を用いて説明する。一例として、一つの建物を挙げ、この建物に設けられる設備を管理する設備管理システムについて説明する。なお、本発明は、この態様に限らず、遠隔から、複数の建物にそれぞれ設けられる設備を管理する設備管理システムにも適用することができる。
【００１７】
図１は、本実施形態の設備管理システム１０の構成を示す図である。設備管理システム１０は、建物に設けられる設備１２と、設備１２を管理する管理装置１４と、設備１２と管理装置１４とを接続する通信回線１６とを有する。
【００１８】
設備１２は、設備管理システム１０の管理対象となる設備のことであり、空調設備１８と電気設備２０を含む。なお、設備１２は、この構成に限定されず、空調設備１８と電気設備２０の一方のみであってもよい。また、設備１２は、空調設備１８と電気設備２０のほかに、給排水衛生設備、受変電設備、セキュリティ設備、昇降設備および防災設備などを含むこともできる。
【００１９】
空調設備１８は、空調機、換気装置、これらを制御する制御装置および各種センサ（図示せず）などを有する。電気設備２０は、照明機器、これを制御する制御装置および各種センサ（図示せず）などを有する。空調設備１８と電気設備２０の各機器は、ルータなどの中継機器を介して通信回線１６に接続される。
【００２０】
通信回線１６は、コンピュータネットワークであり、例えばイーサネット（登録商標）、トークンリング、ＦＤＤＩ（Fiber Distributed Data Interface）である。
【００２１】
管理装置１４は、サーバ２２とクライアント２４を含む。サーバ２２とクライアント２４は、ハードウェア資源とソフトウェアとの協働により実現される。具体的には、サーバ２２とクライアント２４の機能は、記録媒体に記録された制御プログラムがメインメモリに読み出されてＣＰＵ（Central Processing Unit）により実行されることによって実現される。なお、図１においては、サーバ２２とクライアント２４が各１台の構成になっているが、本発明はこの構成に限定されず、これらと同一の構成を有する装置を複数台接続した構成とすることもできる。
【００２２】
サーバ２２は、通信回線１６に接続し設備１２及びクライアント２４と情報の送受信を行う送受信部２６と、サーバ２２の処理動作を統括して制御する制御部２８と、各種データが記憶された記憶部３０とを有する。なお、サーバ２２は、図示していないが、キーボードやマウス等から構成する入力部と、ディスプレイなどで構成する表示部を有することもできる。
【００２３】
サーバ２２は、設備１２を管理するため、設備１２にＩＰ（Internet Protocol）アドレスを付与する。具体的には、サーバ２２は、設備１２の各機器のＩＰアドレスを付与し、このＩＰアドレスを管理番号に変換して、この管理番号を記憶部３０に記憶する。そして、サーバ２２は、管理番号に基づいて、設備１２の各機器の管理を行う。サーバ２２による管理機能には、設備１２のスケジュール、グループ等を設定する設定機能、設備１２の発停などの運転状態を制御する制御機能、設備１２の故障発生、故障内容、故障履歴を監視するメンテナンス機能などが含まれる。なお、設備１２側の制御装置が、これらの管理機能を有することもできる。
【００２４】
クライアント２４は、通信回線１６に接続しサーバ２２と情報の送受信を行う送受信部３２と、クライアント２４の処理動作を統括して制御する制御部３４と、ブラウザ３６とを有する。また、クライアント２４は、図示していないが、各種データを記憶する記憶部と、キーボードやマウス等から構成する入力部と、ディスプレイなどで構成する表示部を有する。
【００２５】
ブラウザ３６は、ＷＷＷ（World Wide Web）の利用に供するブラウザであり、例えばインターネットエクスプローラ（登録商標）、ネットスケープ（登録商標）、モジラ・ファイアフォックス（登録商標）、オペラ（登録商標）などである。ブラウザ３６は、サーバ２２に保持されるＨＴＭＬ（Hyper Text Markup Language）ファイルを取得して、ファイル内のタグを解釈しながらデータを画面に配置する。具体的には、ブラウザ３６は、設備１２が配置される各フロア平面図、設備１２の系統図、設備１２の一覧表などを画面に表示する。また、ブラウザ３６は、その画面上に表示される機器をクリックするとその機器の状態や故障履歴情報などをテキストで表示する。
【００２６】
本実施形態における設備管理システム１０は、管理番号生成手段３８と、ブラウザ動作判断手段４０と、ブラウザ再起動手段４２とを有する。具体的には、サーバ２２の制御部３０が、これらの手段３８，４０，４２を有する。
【００２７】
管理番号生成手段３８は、ブラウザ３６のログイン時に、クライアント２４に対して管理番号を生成する。通常、ブラウザからサーバへのアクセスを開始する場合、セキュリティ対策のため、ユーザのログイン操作、例えばユーザＩＤとパスワードの入力が行われ、サーバによるアクセス認証が行われる。このような動作によりブラウザ３６からサーバ２２へのアクセスが許可されたとき、すなわちブラウザ３６のログイン時に、管理番号生成手段３８は、クライアント２４に対して管理番号を生成する。管理番号を生成する方法は、上述した設備１２に管理番号を付与する方法と同じである。すなわち、管理番号生成手段３８は、クライアント２４のＩＰアドレスから管理番号を生成する。そして、管理番号生成手段３８は、生成した管理番号を記憶部３０に記憶する。
【００２８】
ブラウザ動作判断手段４０は、管理番号生成手段３８により管理番号が生成されたクライアント２４のブラウザ３６が正常に動作しているか否かを判断する。本実施形態におけるブラウザ３６は、管理者が設備１２の管理を適切に行なうことができるように、設備１２の最新の状態を画面に表示する必要がある。このため、ブラウザ３６は、所定の時間Ｔごとに、サーバ２２に対して設備１２の情報の取得を実施するように設定されている。ブラウザ動作判断手段４０は、記憶部３０に記憶された管理番号に対応するクライアント２４のブラウザ３６からの情報取得動作が所定の時間Ｔ以内に行われる場合、ブラウザ３６が正常に動作していると判断する。一方、ブラウザ動作判断手段４０は、そのブラウザ３６からの情報取得動作が所定の時間Ｔを超過しても行われない場合、ブラウザ３６が正常に動作していないと判断する。
【００２９】
ブラウザ再起動手段４２は、ブラウザ動作判断手段４０によりブラウザ３６が正常に動作していないと判断された場合、そのブラウザ３６を再起動させる。具体的には、サーバ２２またはクライアント２４が有するソフトウェアには、例えばJava（登録商標）Script（登録商標）などのスクリプトの機能が組み込まれ、このスクリプトを使用することにより、ブラウザ再起動手段４２は、ブラウザ３６を再起動させる。
【００３０】
再起動されるブラウザ３６は、上述したように、既にサーバ２２によるアクセス認証が行われ、サーバ２２へのアクセスが一度許可されている。だから、同じ管理番号を有するクライアント２４のブラウザ３６が再起動後にサーバ２２にアクセスしてきても、セキュリティ上の問題はないとみなすことができる。よって、再起動後のブラウザ３６においては、サーバ２２にアクセスするためのログイン操作を省略することができるので、管理者の手間がかかることはない。
【００３１】
また、本実施形態における設備管理システム１０は、管理番号削除手段４４と報知手段４６とを有する。具体的には、サーバ２２の制御部３０が、これらの手段４４，４６を有する。
【００３２】
管理番号削除手段４４は、建物の管理体制に基づいて、ブラウザ３６のログアウト時に、そのクライアント２４の管理番号を削除する。建物の管理体制は、管理者が建物に常駐する常駐管理体制と、管理者が建物に常駐しない非常駐管理体制とを含む。サーバ２２には、管理体制が常駐管理体制または非常駐管理体制のいずれか一方であることが予め設定されている。なお、この設定は、建物の管理体制が後に変更になった場合、適宜変更されることが好適である。
【００３３】
管理体制が常駐管理体制の場合、管理者は、ブラウザ３６を介して設備１２を１日２４時間管理する。この場合、ブラウザ３６がログアウトされると、設備１２の管理が中断されてしまう。この中断を防止するため、管理番号削除手段４４は、ブラウザ３６がログアウトしても、クライアント２４の管理番号を記憶部２８から削除しない。そうすると、ログアウト後のブラウザ３６はサーバ２２への情報取得動作を当然行わないので、ブラウザ動作判断手段４０は、ブラウザ３６が正常に動作していないと判断する。そして、ブラウザ再起動手段４２が、そのブラウザ３６を再起動させる。これにより、設備１２の管理の中断を防止することができる。
【００３４】
これに対し、管理体制が非常駐管理体制の場合、管理者は、ブラウザ３６を介して設備１２を１日のうち所定時間だけ管理する。この場合、その所定時間が経過すると、管理者は設備１２を管理しなくてもよい。だから、管理者は、セキュリティ対策のため、ブラウザ３６をログアウトさせる。このとき、上述したように、ブラウザ動作判断手段４０とブラウザ再起動手段４２により、そのブラウザ３６を再起動させると、管理者がいないにもかかわらずブラウザ３６を介して設備１２を管理できる状態になってしまうため、セキュリティ上問題である。そこで、管理番号削除手段４４は、ブラウザ３６がログアウトしたとき、クライアント２４の管理番号を記憶部２８から削除する。管理番号が削除されると、その管理番号のクライアント２４のブラウザ３６に対するブラウザ動作判断手段４０の判断は行われないので、ブラウザ再起動手段４２によるブラウザ３６の再起動指令も行われない。これにより、管理者がいないにもかかわらず、ブラウザ３６からサーバ２２にアクセスすることができてしまうというセキュリティ上の問題が解決される。
【００３５】
報知手段４６は、ブラウザ動作判断手段４０によりブラウザ３６が正常に動作していないと判断された場合、ブラウザ３６が異常である旨を管理者に報知する。報知する方法は、周知の方法であり、例えばスピーカからの警告音、警告用ランプの点灯、管理者が所持する携帯電話へのメールの送信などである。さらに、報知手段４６は、遠隔から建物を監視している監視センタに、外部の通信回線を介して報知することができる。
【００３６】
次に、本実施形態の設備管理システム１０の制御動作の一例について、図２を用いて説明する。
【００３７】
サーバ２２が、ブラウザ３６のログインがあるか否かを判断する（ステップＳ１０１）。ブラウザ３６のログインがあった場合、管理番号生成手段３８が、そのブラウザ３６のクライアント２４に対して管理番号を生成する（ステップＳ１０２）。一方、ブラウザ３６のログインがない場合、ステップＳ１０１に待機する。
【００３８】
次に、管理番号生成手段３８により管理番号が生成されると、ブラウザ動作判断手段４０が、その管理番号に対応するクライアント２４のブラウザ３６が正常に動作しているか否かを判断する（ステップＳ１０３）。ブラウザ３６が正常に動作していない場合、ブラウザ再起動手段４２が、そのブラウザ３６を再起動させ（ステップＳ１０４）、制御動作が終了する。このとき、報知手段４６が、ブラウザ３６が異常である旨とともにブラウザ３６を再起動させる旨を管理者に報知することもできる。一方、ブラウザ３６が正常に動作している場合、ステップＳ１０３に待機する。
【００３９】
本実施形態の設備管理システム１０によれば、ブラウザ３６が正常に動作しなくなっても、そのブラウザ３６を自動的に再起動させて、ブラウザ３６の動作を正常にすることができる。よって、管理者は、ブラウザ３６が正常に動作しているか否かを常に監視する必要がなくなる。しかも、ブラウザ３６が正常に動作していない間に更新される設備１２の情報が管理者に伝達されないという問題が解決されるので、管理者は、設備１２への対応が遅れることが無くなり、設備１２の管理を適切に行なうことができる。
【符号の説明】
【００４０】
１０  設備管理システム、１２  設備、１４  管理装置、１６  通信回線、１８  空調設備、２０  電気設備、２２  サーバ、２４  クライアント、３８  管理番号生成手段、４０  ブラウザ動作判断手段、４２  ブラウザ再起動手段、４４  管理番号削除手段、４６  報知手段。
【図１】
2011008369.tif 000003
【図２】
2011008369.tif 000004